(57)【要約】【課題】単一のＥＦＰ弾頭（A）を用いながら、単一ＥＦＰ（15A）を生成するモードと、ライナ（15）を破片化するモードとを自動的に切り換え得るようにする。【解決手段】弾頭（A）におけるライナ（15）の前側に配置されて、射出ライナ（15）を破断して複数の破片（15B）に分割するライナ分割装置（18）を、瞬時に消失可能なＭＤＣからなるものとする。センサ（25）により標的を検出し、それを識別することで、ライナ分割装置（18）を非消失状態又は消失状態に切り換え、ライナ（15）を破片化するマルチＥＦＰ生成モードと、ライナ（15）から単一ＥＦＰ（15A）を生成する単一ＥＦＰ生成モードとに自動的に切換選択するようにする。【選択図】図１
2007225215.tif 000002
【特許請求の範囲】
【請求項１】
ＥＦＰタイプの弾頭において、
炸薬（13）の爆発に伴って射出されるライナ（15）を破断して複数の破片（15B）に分割するライナ分割手段（18）と、
上記ライナ分割手段（18）を非消失状態に保つ第１モードと、ライナ分割手段（18）をライナ（15）が複数の破片（15B）に分割されないように消失させる第２モードとに切り換えるモード切換手段（28）とを備えたことを特徴とする弾頭。
【請求項２】
炸薬（13）が充填された弾殻（1）の前側への開口にライナ（15）が配置され、炸薬（13）の爆発に伴ってライナ（15）を標的に射出するようにした弾頭において、
上記ライナ（15）の前側に配置され、標的に射出されるライナ（15）を破断して複数の破片（15B）に分割するライナ分割手段（18）と、
上記ライナ分割手段（18）を非消失状態に保つ第１モードと、ライナ分割手段（18）をライナ（15）が複数の破片（15B）に分割されないように消失させる第２モードとに切り換えるモード切換手段（28）とを設けたことを特徴とする弾頭。
【請求項３】
請求項１又は２の弾頭において、
ライナ分割手段（18）がＭＤＣからなることを特徴とする弾頭。
【請求項４】
請求項１又は２の弾頭において、
ライナ分割手段（18）は、火薬を内包した金属製の管状体からなることを特徴とする弾頭。
【請求項５】
請求項１〜４のいずれか１つの弾頭において、
ライナ分割手段（18）が格子状のものであることを特徴とする弾頭。
【請求項６】
請求項１〜４のいずれか１つの弾頭において、
ライナ分割手段（18）が網状のものであることを特徴とする弾頭。
【請求項７】
請求項１〜６のいずれか１つの弾頭において、
標的の種類を識別する標的識別手段（27）を備え、
モード切換手段（28）は、上記標的識別手段（27）により識別された標的の種類に応じてモードを切り換えるように構成されていることを特徴とする弾頭。
【請求項８】
飛翔体（33）に搭載されることを特徴とする請求項１〜７のいずれか１つの弾頭。
【請求項９】
地上に設置されることを特徴とする請求項１〜７のいずれか１つの弾頭。
【請求項１０】
弾殻（1）の前側への開口を覆うライナ（15）の前側に、標的を識別するためのセンサ（25）の検出作動又は手動操作に基づいて消失状態又は非消失状態に切換可能なＭＤＣが格子状に配置されていることを特徴とする弾頭。
【発明の詳細な説明】
【技術分野】
【０００１】
本発明は、弾頭に関し、特に、炸薬の爆発によってライナを射出させるようにしたものに関する。
【背景技術】
【０００２】
従来より、この種の弾頭として、前側に開放された開口を有する弾殻内に炸薬を充填するとともに、その弾殻の開口を銅等のライナで封閉し、炸薬の爆発エネルギーによってライナを成形して成形弾と呼ばれるＥＦＰ（Explosively Formed Projectile, or Explosively Formed Penetrator）を生成し、このＥＦＰを高速度で前方に射出して標的に当てるようにしたＥＦＰ弾頭は知られている。
【０００３】
そして、同じ単一のＥＦＰ弾頭を用いて多種類の標的の破壊が効果的にできれば、運用面や費用対効果の面で有効性が高いことから、それに関する研究がなされている。
【０００４】
この中で、従来、単一のライナから複数の破片を散布させる技術として、ライナの前側に金属線の棒を格子状に配置し、弾頭の起爆時にライナが金属棒を通過するときに破断分割して破片化する方式が提案されている（例えば非特許文献１参照）。
【非特許文献１】“New,Selectable,EFP Warhead Concept”,41st Annual Bomb & Warhead Technical Meeting（1991）
【発明の開示】
【発明が解決しようとする課題】
【０００５】
しかしながら、上記提案の方式では、ライナから破片ではなくて単一ＥＦＰを生成させるときには、操作者が前もって金属棒を除去するという切換操作が必要であり、実用面ではその切換えを瞬時に行う自動化が困難であるという問題があった。
【０００６】
本発明は斯かる点に鑑みてなされたものであり、その目的は、弾頭のライナ前側に配置されるライナ分割手段に工夫を加えることにより、単一のＥＦＰ弾頭を用いながら、単一ＥＦＰを生成するモードと、ライナを破片化するモードとを自動的に切り換え得るようにすることにある。
【課題を解決するための手段】
【０００７】
上記の目的を達成するために、この発明では、ライナ分割手段を消失可能に構成し、その消失の実行又は不実行をコントロールによって２つのモードを切り換えるようにした。
【０００８】
具体的には、第１の発明では、ＥＦＰタイプの弾頭において、炸薬（13）の爆発に伴って射出されるライナ（15）を破断して複数の破片（15B）に分割するライナ分割手段（18）と、このライナ分割手段（18）を非消失状態に保つ第１モード、及びライナ分割手段（18）をライナ（15）が複数の破片（15B）に分割されないように消失させる第２モードとに切り換えるモード切換手段（28）とを備えたことを特徴とする。
【０００９】
第２の発明では、炸薬（13）が充填された弾殻（1）の前側への開口にライナ（15）が配置され、炸薬（13）の爆発に伴ってライナ（15）を標的に射出するようにした弾頭において、上記ライナ（15）の前側に配置され、標的に射出されるライナ（15）を破断して複数の破片（15B）に分割するライナ分割手段（18）と、このライナ分割手段（18）を非消失状態に保つ第１モード、及びライナ分割手段（18）をライナ（15）が複数の破片（15B）に分割されないように消失させる第２モードとに切り換えるモード切換手段（28）とを設けたことを特徴とする。
【００１０】
上記第１及び第２の発明では、モード切換手段（28）によりライナ分割手段（18）が非消失状態又は消失状態に切り換えられ、ライナ（15）を破片化するときには、モード切換手段（28）により第１モードに切り換えられて、ライナ分割手段（18）が非消失状態に保たれる。このことで、炸薬（13）の爆発によって射出されるライナ（15）がライナ分割手段（18）を通過する際に破断されて複数の破片（15B）に分割され、これら破片（15B）が標的に散布される。一方、単一ＥＦＰ（15A）を生成するときには、モード切換手段（28）により第２モードに切り換えられ、ライナ分割手段（18）が消失して、弾殻（1）の前側にライナ分割手段（18）のない状態となる。このときには、炸薬（13）の爆発によって射出されるライナ（15）は、破断されることなくそのまま射出されて単一ＥＦＰ（15A）が生成される。従って、単一のＥＦＰ弾頭を用いて、ライナ（15）による単一ＥＦＰ（15A）の生成と、同じライナ（15）の破片化とを自動的にかつ素早く切り換えることができる。
【００１１】
第３の発明では、ライナ分割手段（18）はＭＤＣからなるものとする。このＭＤＣ（Mild Detonation Cord）は導爆線と呼ばれるもので、内部の火薬を爆発させることによって瞬時に消失する。
【００１２】
第４の発明では、ライナ分割手段（18）は、火薬を内包した金属製の管状体からなるものとする。このライナ分割手段（18）は、管状体に内包された火薬を爆発させることによって瞬時に消失する。
【００１３】
この第３及び第４の発明では、瞬時に消失する好適なライナ分割手段（18）が具体的に容易に得られる。
【００１４】
第５の発明では、ライナ分割手段（18）は格子状のものとする。
【００１５】
第６の発明では、ライナ分割手段（18）は網状のものとする。
【００１６】
この第５及び第６の発明では、ライナ分割手段（18）により、ライナ（15）を破砕して複数の好ましい形状の破片（15B）に分割できる。
【００１７】
第７の発明では、標的の種類を識別する標的識別手段（27）を備え、モード切換手段（28）は、この標的識別手段（27）により識別された標的の種類に応じてモードを切り換えるように構成されているものとする。
【００１８】
この第７の発明では、標的識別手段（27）によって標的の種類が識別され、この識別された種類に応じて第１又は第２モードに切り換えられるので、標的に応じたモードの切換えを自動的に行うことができる。
【００１９】
第８の発明では、弾頭は飛翔体（33）に搭載されるものとする。
【００２０】
この第８の発明では、飛翔体（33）が飛翔して例えば標的に近付いたとき、モード切換手段（28）によりライナ分割手段（18）が非消失状態又は消失状態に切り換えられ、標的に向かって例えばその上方等からライナ（15）の破片（15B）又は単一ＥＦＰ（15A）が射出される。
【００２１】
第９の発明では、弾頭は地上に設置されるものとする。
【００２２】
この第９の発明では、例えば地上、上空、水上、水中等を移動する標的に対して、モード切換手段（28）によりライナ分割手段（18）が非消失状態又は消失状態に切り換えられ、標的に向かってライナ（15）の破片（15B）又は単一ＥＦＰ（15A）が射出される。
【００２３】
第１０の発明では、弾殻（1）の前側への開口を覆うライナ（15）の前側に、標的を識別するためのセンサ（25）の検出作動又は手動操作に基づいて消失状態又は非消失状態に切換可能なＭＤＣが格子状に配置されていることを特徴とする。
【００２４】
この第１０の発明では、標的を識別するセンサ（25）の検出作動又は手動操作に基づきＭＤＣが非消失状態又は消失状態に切り換えられ、ライナ（15）を破片化するときには、ＭＤＣが非消失状態に保たれ、射出されるライナ（15）が、格子状に配置されたＭＤＣを通過する際に破断されて複数の破片（15B）に分割される。一方、単一ＥＦＰ（15A）を生成するときには、ＭＤＣが瞬時に消失して、弾殻（1）の前側にＭＤＣのない状態となり、ライナ（15）は、破断されることなくそのまま射出されて単一ＥＦＰ（15A）が生成される。このことで、単一のＥＦＰ弾頭を用いて、単一ＥＦＰ（15A）の生成と、ライナ（15）の破片化とを自動的にかつ瞬時に切り換えることができる。
【発明の効果】
【００２５】
以上のように、第１、第２及び第１０の発明によれば、単一のＥＦＰ弾頭を用いつつ、単一ＥＦＰの生成とライナの破片化とを自動的にかつ瞬時に切り換えることができる。
【００２６】
また、上記第３及び第４の発明によれば、消失可能なライナ分割手段が具体的に容易に得られる。
【００２７】
また、上記第５及び第６の発明によれば、ライナ分割手段により、ライナを破砕して複数の好ましい形状の破片が得られる。
【００２８】
また、第７の発明によれば、標的の種類を識別して、この識別された種類に応じてライナ分割手段の非消失状態又は消失状態を切り換えるので、標的に応じたモードの切換えを自動的に行うことができる。
【００２９】
また、上記第８の発明によれば、飛翔体が飛翔して標的に近付いたときに、その標的に向かってその上方等からライナの破片又は単一ＥＦＰを射出することができる。
【００３０】
また、上記第９の発明によれば、地上等を移動する標的に対し、ライナの破片又は単一ＥＦＰを射出することができる。
【発明を実施するための最良の形態】
【００３１】
以下、本発明の実施形態を図面に基づいて詳細に説明する。
【００３２】
《発明の実施形態１》
本発明の実施形態１について説明する。図１及び図２は本発明の実施形態１に係る周辺起爆タイプのＥＦＰ弾頭（A）を示す。図において、（1）は前側（図１右側）に開口された例えばアルミニウムや鋼等からなる７０〜１００ｍｍ程度の外径を有する有底円筒状の弾殻で、この弾殻（1）は円筒形状の側壁部（2）と、この側壁部（2）の後側に配置され、側壁部（2）の外径と同じ外径を有する有底円筒状の底壁部（3）とに分割されている。これらは、例えば側壁部（2）後端の段差部外周面に設けた雄ねじ部（2a）を、底壁部（3）前端の段差部内周面に形成した雌ねじ部（3a）に螺合締結することで、一体に組み付けられている。底壁部（3）後面（外面）の中心部には円筒部（3b）が一体に突設され、この円筒部（3b）内に弾頭（A）を起爆させるための例えば電気雷管等からなる起爆装置（11）が収容されている。
【００３３】
また、上記底壁部（3）の内部には前側スペーサ（5）と後側スペーサ（6）とが同心状に配置されている。後側スペーサ（6）は、底壁部（3）内に密着するように嵌合された有底円筒状のもので、その底部の中心には孔部（7）が開口されている。一方、前側スペーサ（5）は、前面が底壁部（3）の前側開口縁部と面一になるように配置されかつ後側スペーサ（6）の内径よりも小さい外径を有する円板状のものである。そして、前側スペーサ（5）は後側スペーサ（6）内に同心状に収容され、前側スペーサ（5）の外周面及び後側スペーサ（6）の内周面の間の空間と、前側スペーサ（5）の後面及び後側スペーサ（6）の前面の間の空間と、後側スペーサ（6）底部中心の孔部（7）とにより、互いに連続する有底円筒形状の空間が形成され、この空間に上記起爆装置（11）の発火を後述する炸薬（13）に伝える導爆薬（12）（伝爆薬）が充填されている。
【００３４】
これに対し、上記側壁部（2）内には炸薬（13）が上記底壁部（3）内の前側スペーサ（5）を底面とするように充填され、この炸薬（13）の後面はその外周辺部にて上記導爆薬（12）に接触しており、導爆薬（12）の燃焼が炸薬（13）の後面周辺部に伝達されて、その炸薬（13）が周辺部から起爆するようになっている。
【００３５】
上記弾殻（1）の開口内（側壁部（2）の前端内部）には銅、ニッケル、タンタル等の金属からなる略円板状のライナ（15）が配置されている。このライナ（15）は炸薬（13）を弾殻（1）内に充填するようにその前側への開口を封閉するもので、中心から外周縁に向かって前側に向かうように断面略円弧状に湾曲し、その外周縁部が弾殻（1）の側壁部（2）内周面に固定されており、後述するライナ分割装置（18）のない状態では、炸薬（13）の爆発（弾頭（A）の起爆）に伴ってライナ（15）が単一ＥＦＰ（15A）（図４（ｆ）参照）となって射出されるようになっている。
【００３６】
本発明の特徴として、上記ライナ（15）の前側には、炸薬（13）の爆発に伴って前側に射出されるライナ（15）を破断して複数の破片（15B）（図４（ｃ）参照）に分割するライナ分割装置（18）が配置され、該ライナ分割装置（18）は、弾殻（1）の側壁部（2）の開口を覆った状態で、その前端面に例えば接着等により取付固定されている。このライナ分割装置（18）は、連続する１本のＭＤＣ（導爆線）からなる縦部（19）と同様の横部（20）とからなる。このＭＤＣは、例えば肉厚が０．５ｍｍ程度で外径が３ｍｍ程度の薄肉のアルミニウム管内に火薬を充填したものであり、これら縦部（19）及び横部（20）は例えば以下のようにレイアウトされて縦横格子状に配列されている。
【００３７】
すなわち、縦部（19）は、一端部が弾殻（1）における側壁部（2）の例えば上端に配置され、この側壁部（2）の上端から側壁部（2）の周縁部に沿って図２で反時計回り方向に外周長さの略１／４近くまで延びた後に弾殻（1）の開口を横切るように下側に直線状に延び、次いで側壁部（2）の周縁部に沿って図２で反時計回り方向延びた後に弾殻（1）の開口を横切るように上側に上記下側直線部分と平行に直線状に延び、さらに側壁部（2）の周縁部に沿って図２で時計回り方向延びた後に弾殻（1）の開口を横切るように下側に上記下側直線部分（上側直線部分）と平行に直線状に延び、以後、同様なレイアウトで弾殻（1）の開口を直線状に横切るように蛇行しながら図２の右側に延び、他端部は弾殻（1）の開口を横切るように下側に延びている。この縦部（19）は弾殻（1）の側壁部（2）の周縁部に沿う部分で側壁部（2）前端面に取付固定されている。
【００３８】
一方、横部（20）は、一端部が弾殻（1）における側壁部（2）の例えば上端に配置され、この側壁部（2）の上端から側壁部（2）の周縁部に沿って所定長さだけ図２で時計回り方向に延びた後に弾殻（1）の開口を横切るように図２左側に水平直線状に延び、次いで側壁部（2）の周縁部に沿って図２で反時計回り方向延びた後に弾殻（1）の開口を横切るように図２右側に上記水平直線部分と平行に直線状に延び、さらに側壁部（2）の周縁部に沿って図２で時計回り方向延びた後に弾殻（1）の開口を横切るように図２左側に上記水平直線部分と平行に直線状に延び、以後、同様なレイアウトで弾殻（1）の開口を直線状に横切るように蛇行しながら図２の下側に延び、他端部は弾殻（1）の開口を横切るように図２左側に延びている。この横部（20）は縦部（19）に交差する部分で該縦部（19）前面（従って縦部（19）を介して側壁部（2）前端面）に取付固定されている。
【００３９】
そして、上記縦部（19）と横部（20）とによって周辺部を除く部分に互いに同じ大きさの正方形状の升目が、また周辺部に略三角形状又は略台形状の升目がそれぞれ形成されており、炸薬（13）の爆発に伴って前側に射出されるライナ（15）を、それに対し相対的に静止状態にある縦部（19）と横部（20）とにより破断して、その縦部（19）と横部（20）との間の空間を通過する部分で複数の破片（15B）を生成するようにしている。
【００４０】
上記ライナ分割装置（18）の縦部（19）及び横部（20）の各々の一端部はそれぞれ弾殻（1）の側壁部（2）外周の例えば上端に並べられて例えば電気雷管等からなる起爆装置（21）に接続されている。この起爆装置（21）は、弾殻（1）外周面に固定した円筒体（21a）の内部に縦部（19）及び横部（20）の各一端部内の爆薬に連続するように収容されており、この起爆装置（21）の発火により、その燃焼を縦部（19）及び横部（20）の各一端部内の火薬に伝えて爆発させることで、ライナ分割装置（18）（ＭＤＣからなる縦部（19）及び横部（20））を爆破して消失させるようにしている。
【００４１】
また、弾殻（1）における側壁部（2）外周下面には前側寄りに、弾頭（A）の標的を識別するための標的センサ（25）が取り付けられている。このセンサ（25）は例えば画像センサ、音響センサ、振動センサ等からなり、弾頭（A）が目標とする標的を検出しかつその種類を識別するのに必要な信号を出力する。
【００４２】
そして、弾頭（A）には図示しないが起爆コントローラが設けられ、このコントローラに上記センサ（25）と、弾頭（A）の起爆装置（11）及びライナ分割装置（18）の起爆装置（21）とが接続されており、コントローラにおいて、センサ（25）の検出作動及びその標的の識別結果に基づきライナ分割装置（18）のＭＤＣからなる縦部（19）及び横部（20）を、爆破による消失状態又は非爆破による非消失状態に切り換えるようにしている。
【００４３】
上記コントローラでの処理動作を図３により具体的に説明すると、最初のステップＳ１において、センサ（25）による標的の検出があるかどうかを判定する。センサ（25）が標的を検出した信号を出力して判定がＹＥＳになると、ステップＳ２において、センサ（25）の検出結果に基づき、標的が例えば重装甲車か否か等の識別を行う。この判定がＮＯのとき（標的が例えば軽装甲車等であるとき）には、標的に対し単一ＥＦＰ（15A）ではなくて破片（15B）を射出する必要があるとし、弾頭（A）の起爆モードをライナ分割装置（18）が非消失状態に保たれるマルチＥＦＰ生成モード（第１モード）に移行させる。このマルチＥＦＰ生成モードでは、ステップＳ３において、そのまま弾頭（A）の起爆装置（11）を起爆させ、炸薬（13）の爆発に伴って射出されるライナ（15）をライナ分割装置（18）のＭＤＣからなる縦部（19）及び横部（20）により破断して複数の破片（15B）に分割し、それら破片（15B）を標的に向けて散布する。
【００４４】
これに対し、ステップＳ２の判定がＹＥＳのときには、標的に対し破片（15B）ではなくて単一ＥＦＰ（15A）を射出する必要があるとし、起爆モードをライナ分割装置（18）が消失する単一ＥＦＰ生成モード（第２モード）に移行させる。この単一ＥＦＰ生成モードでは、まず、ステップＳ４において、ライナ分割装置（18）の起爆装置（21）を起爆させる。このことで、そのＭＤＣからなる縦部（19）内及び横部（20）内の火薬が爆発して該縦部（19）及び横部（20）が爆破により消失する。次いで、ステップＳ５に進み、上記ライナ分割装置（18）の起爆（縦部（19）及び横部（20）の消失）から所定時間（例えば数十μ秒）が経過した時点で、引き続き弾頭（A）の起爆装置（11）を起爆させ、炸薬（13）の爆発によりライナ（15）をそのまま射出させて単一ＥＦＰ（15A）を生成し、このＥＦＰを標的に向けて飛翔させる。
【００４５】
この実施形態では、上記センサ（25）とフローチャートのステップＳ１，Ｓ２とにより、標的の種類を識別する標的識別手段（27）が構成される。
【００４６】
また、ステップＳ３〜Ｓ５により、上記ライナ分割装置（18）を非消失状態に保つマルチＥＦＰ生成モード（第１モード）と、ライナ分割装置（18）を消失させる単一ＥＦＰ生成モード（第２モード）とに弾頭（A）の起爆モードを切り換えるモード切換手段（28）が構成される。
【００４７】
−作動−
次に、上記実施形態の作動について図４により説明する。センサ（25）が検出した標的が破片（15B）を射出散布すべき標的であるときには、図４（ａ）→図４（ｂ）→図４（ｃ）に示すように、弾頭（A）はライナ分割装置（18）が非消失状態に保たれるマルチＥＦＰ生成モード（第１モード）で使用される。このモードでは、そのまま弾頭（A）の起爆装置（11）が起爆されて炸薬（13）が爆発され、この爆発に伴って射出されるライナ（15）がライナ分割装置（18）のＭＤＣからなる縦部（19）及び横部（20）により破断されて複数の破片（15B）に分割され、それら破片（15B）が標的に向けて散布される。
【００４８】
これに対し、単一ＥＦＰ（15A）を射出すべき標的であるときには、図４（ａ）→図４（ｄ）→図４（ｅ）→図４（ｆ）に示すように、弾頭（A）はライナ分割装置（18）が消失する単一ＥＦＰ生成モード（第２モード）で使用される。この単一ＥＦＰ生成モードでは、弾頭（A）の起爆に先立ち、ライナ分割装置（18）の起爆装置（21）が起爆される。このことで、ＭＤＣからなる縦部（19）及び横部（20）が内部の火薬の爆発により爆破されて弾頭（A）の他の部分を傷付けることなく消失する。引き続き、所定時間（例えば数十μ秒）が経過すると、弾頭（A）の起爆装置（11）が起爆されて炸薬（13）が爆発し、この爆発によりライナ（15）が破断分割されることなくそのまま射出されて単一ＥＦＰ（15A）が生成され、このＥＦＰ（15A）が標的に向けて飛翔する。
【００４９】
−具体的な使用態様−
上記実施形態に係る弾頭（A）を具体的に使用する態様について図５〜図７により説明する。図５は、弾頭（A）の設置場所を固定し例えば標的を待ち伏せて使用する態様を示す。この例では、図５（ａ）に示すように、地面上等に脚部（31a）により設置されたケース（31）内に弾頭（A）を、その前側が標的の近付いてくる方向に向くように水平に収容することで、弾頭（A）が地面等の上に固定されて設置される。そして、図５（ｂ）に示すように、近付いてくる標的をセンサ（25）によって検出し、その識別した標的に適した起爆モードを切り換えて、図５（ｃ）に示すマルチＥＦＰ生成モード（第１モード）又は図５（ｄ）に示す単一ＥＦＰ生成モード（第２モード）で弾頭（A）を起爆させる。
【００５０】
また、図６及び図７は、例えばミサイルや砲弾等の飛翔体（33）に弾頭（A）を搭載して標的に上空から破片（15B）又は単一ＥＦＰ（15A）を射出する使用態様を示す。この使用態様は、図６に示す弾頭内包方式と図７に示す弾頭放出方式とがある。図６に示す弾頭内包方式では、図６（ａ）に示すように、弾頭（A）を飛翔体（33）の内部に弾頭（A）の前側が例えば下側に向くように固定して、飛翔体（33）を発射等により飛翔させる。そして、図６（ｂ）に示す如く、こうして飛翔体（33）が飛翔している状態で、弾頭（A）の例えば下向きになったセンサ（25）によって標的を検出し、その標的の近くで上方から標的に適した起爆モードを切り換えて、図６（ｃ）に示すマルチＥＦＰ生成モード（第１モード）又は図６（ｄ）に示す単一ＥＦＰ生成モード（第２モード）で弾頭（A）を起爆させる。
【００５１】
一方、図７に示す弾頭放出方式では、図７（ａ）に示すように、弾頭（A）を飛翔体（33）の内部に弾頭（A）の前側が例えば下側に向くように設置するのは上記弾頭内包方式と同じであるが、予め弾頭（A）にパラシュート（34）が取り付けられていること、弾頭（A）が飛翔体（33）に対し分離可能に支持されていること、及びその分離された弾頭（A）が飛翔体（33）から放出されるように飛翔体（33）が例えば分割可能とされていることが異なる。
【００５２】
そして、この飛翔体（33）を発射等により飛翔させた状態で、図７（ｂ）に示す如く、飛翔体（33）の分割等により弾頭（A）を飛翔体（33）から放出し、図７（ｃ）に示すように、この放出された弾頭（A）を開いたパラシュート（34）により吊り下げて、その前側を下向きにした状態で落下させる。この落下状態で、弾頭（A）の下向きになったセンサ（25）によって標的を検出し、その標的の近くで上方から標的に適した起爆モードを切り換えて、図７（ｄ）に示すマルチＥＦＰ生成モード（第１モード）又は図６（ｅ）に示す単一ＥＦＰ生成モード（第２モード）で弾頭（A）を起爆させる。
【００５３】
−実施形態１の効果−
したがって、この実施形態においては、単一種類のＥＦＰ弾頭（A）を用いて、ライナ（15）からの単一ＥＦＰ（15A）の生成と破片（15B）の生成とを自動的にかつ瞬時に切り換えることができる。
【００５４】
また、ライナ分割装置（18）の縦部（19）及び横部（20）はＭＤＣからなり、その内部の火薬の爆発によって瞬時に消失するので、ライナ分割装置（18）が非消失状態から消失状態になる起爆モードの切換えを応答性よく行うことができる。
【００５５】
さらに、標的の種類が識別され、この識別された種類に応じて上記起爆モードがマルチＥＦＰ生成モード又は単一ＥＦＰ生成モードに切り換えられるので、標的に応じたモードの切換えを自動的に行うことができる。
【００５６】
また、図５に示すように、弾頭（A）を地上に設置することで、地上、上空、水上、水中等を移動する標的を待ち伏せし、その標的に対しライナ（15）の破片（15B）又は単一ＥＦＰ（15A）を射出することができる。
【００５７】
また、図６又は図７に示すように、弾頭（A）を飛翔体（33）に搭載して飛翔させることにより、飛翔体（33）が飛翔して標的に近付いたときに、その標的に向かってその上方からライナ（15）の破片（15B）又は単一ＥＦＰ（15A）を射出することができる。
【００５８】
《発明の実施形態２》
本発明の実施形態２について説明する。図８は本発明の実施形態２に係る弾頭（A）を示し（尚、図１〜図７と同じ部分については同じ符号を付してその詳細な説明は省略する）、上記実施形態１では周辺起爆タイプのＥＦＰ弾頭（A）に適用したのに対し、中心起爆タイプの弾頭に適用したものである。
【００５９】
すなわち、この実施形態では、弾頭（A）の弾殻（1）のみが実施形態１のものと異なる。弾殻（1）は弾殻本体（8）と円筒部材（9）とからなる。弾殻本体（8）は、後端部（図８左側端部）が閉塞された円筒状のものであり、その前半部は円筒状であるのに対し、この前半部の後端に連続する後半部は、後側に向かって小径となるテーパ状とされ、この弾殻本体（8）の内部に炸薬（13）が充填されている。弾殻本体（8）の後端部（中心部）には孔部（8a）が形成され、その内部に導爆薬（12）が前端を炸薬（13）の後端部に接するように充填されている。
【００６０】
また、円筒部材（9）は、弾殻本体（8）の後端部に外嵌合された有底円筒状のもので、この円筒部材（9）は弾殻本体（8）に対し、円筒部材（9）の内周面前端部に形成した雌ねじ部（9a）に弾殻本体（8）の後端部外周面に形成した雄ねじ部（8b）を螺合締結することで一体的に結合されている。そして、円筒部材（9）内に起爆装置（11）が上記導爆薬（12）と接するように収容されており、起爆装置（11）の発火を導爆薬（12）を介して炸薬（13）に伝えて炸薬（13）を後端の中心部から爆発させるようにしている。その他の構成は実施形態１と同様である。
【００６１】
−実施形態２の効果−
したがって、この実施形態においても実施形態１と同様の作用効果を奏することができる。
【００６２】
《その他の実施形態》
上記実施形態については、以下のような構成としてもよい。例えば、上記ライナ分割装置（18）におけるＭＤＣからなる縦部（19）及び横部（20）の縦横格子状の配列は、上記実施形態のものに限定されず、例えば縦部（19）及び横部（20）の前後位置を逆にしてもよく、さらには縦部（19）及び横部（20）を前後に交差させて格子状に編んだものでもよい。さらには、ＭＤＣを格子状に配列したものとするのではなく、同心状や蜘蛛の巣状等の他の形状にしてもよく、生成しようとする破片（15B）の形状や大きさに合わせての編んだ網状のものとしてもよい。また、配列させるＭＤＣは、上記実施形態のように連続して１本で構成するものに限定されず、複数本で構成してもよい。要は、ライナ（15）を複数の破片（15B）に分割できるようにしたものであればよい。
【００６３】
また、ライナ分割装置（18）の材料は、ＭＤＣ以外のものを採用することができ、例えば、火薬を内包した金属製の管状体で構成する等、弾頭（A）の起爆前の極めて僅かな時間で消失できるものであればよい。この管状体は、断面円形状のものに限定されず、断面が三角形状、矩形状、略Ｕ字状（一方に開放された断面形状）等の各種形状のものを用いることができる。
【００６４】
さらに、弾頭（A）に設けられるセンサ（25）の位置は、上記実施形態に限定されない。
【００６５】
また、上記実施形態では、センサ（25）の検出結果に基づき弾頭（A）の起爆モードを切り換えるようにしているが、その切換えを手動による操作（例えば遠隔操作等）によって行うようにすることもできる。
【００６６】
また、上記図６及び図７に示す、飛翔体（33）に弾頭（A）を搭載して使用する場合において、弾頭（A）の前側とセンサ（25）の標的検出方向とを下向きにすることは必須ではなく、標的に応じて上向き、水平横向き、斜め上下方向等に適宜変更して使用することができるのは勿論のことである。
【００６７】
尚、以上の実施形態は、本質的に好ましい例示であって、本発明、その適用物、或いはその用途の範囲を制限することを意図するものではない。
【産業上の利用可能性】
【００６８】
以上説明したように、本発明は、単一のＥＦＰ弾頭をマルチＥＦＰ生成モード又は単一ＥＦＰ生成モードに瞬時に切り換えて起爆させることができる点で、有用である。
【図面の簡単な説明】
【００６９】
【図１】図１は、本発明の実施形態１に係るＥＦＰ弾頭の拡大断面図である。
【図２】図２は、弾頭を前側から見た状態を拡大して示す正面図である。
【図３】図３は、弾頭の起爆モードの切換動作を示すフローチャート図である。
【図４】図４は、弾頭の２つの起爆モードによる起爆動作を示す説明図である。
【図５】図５は、弾頭を固定して使用する場合の動作を示す説明図である。
【図６】図６は、弾頭を飛翔体に弾頭内包方式で搭載して使用する場合の動作を示す説明図である。
【図７】図７は、弾頭を飛翔体に弾頭放出方式で搭載して使用する場合の動作を示す説明図である。
【図８】図８は、本発明の実施形態２に係るＥＦＰ弾頭を示す図１相当図である。
【符号の説明】
【００７０】
A  ＥＦＰ弾頭
1  弾殻
13  炸薬
15  ライナ
15A  単一ＥＦＰ
15B  破片
18  ライナ分割装置（ライナ分割手段）
25  標的センサ
27  標的識別手段
28  モード切換手段
【図１】
2007225215.tif 000003
【図２】
2007225215.tif 000004
【図３】
2007225215.tif 000005
【図４】
2007225215.tif 000006
【図５】
2007225215.tif 000007
【図６】
2007225215.tif 000008
【図７】
2007225215.tif 000009
【図８】
2007225215.tif 000010